(57)【要約】      （修正有）【課題】脚立等を使用することなく光源前方のパネルを取り外すことができる照明器具を提供することを目的とする。【解決手段】照明器具１０は、天井板１１の厚み方向（図１上下方向）に沿った線を軸線ＣＬとして固定枠２１に対して螺合されるパネル枠２２と、パネル枠２２に設けられたピン嵌合用穴２２ａとを有している。そして、ピン嵌合用穴２２ａに、ランプチェンジャ３０に設けられた位置決めピン３１が係合可能となっている。作業者は、照明器具１０の下方から、ランプチェンジャ３０に設けられている位置決めピン３１をパネル枠２２のピン嵌合用穴２２ａに係合して、パネル枠２２を回転させて取り外す。ランプ２３として電球や電球型の蛍光灯を用いることにより、ランプ２３を把持することができるランプチェンジャ（図示省略）を用いて、ランプ２３の交換を行うことができる。【選択図】図１
2008235216.tif 000002
【特許請求の範囲】
【請求項１】
天井板の開口から天井裏に配置される灯体と、
前記開口に取り付けられる固定枠と、
前記固定枠の内側において前記天井板の厚み方向に沿った線を軸線として前記固定枠に対して螺合されるパネル枠と、
前記パネル枠に設けられたピン嵌合用穴とを有し、
前記ピン嵌合用穴に、ランプチェンジャに設けられた位置決めピンが係合可能であることを特徴とする照明器具。
【請求項２】
前記ピン嵌合用穴が前記軸線に対して交差する方向に沿って設けられていることを特徴とする請求項１に記載の照明器具。
【発明の詳細な説明】
【技術分野】
【０００１】
本発明は、例えば天井に取り付けられた灯体に入った光源を有する照明器具に関するものである。
【背景技術】
【０００２】
天井に取付けられた照明器具の白熱灯や蛍光灯のランプ交換を床上で便利に行なうものとして、従来から交換器具によってケースを開閉することができる照明器具がある（例えば特許文献１参照）。
この照明器具１００は天井１０６埋込型であり、長方体箱形の器具本体１０１を有し、下面に開口１０３を有していて、開口１０３には配光制御部材１０２が開閉可能に設けられている。開口１０３の一縁部には回動受け部１０４が設けられ、開口１０３の対向縁部には係止受け部１０５が設けられていて、開口縁部に天井１０６に係止する係止つば１０７が設けられている。器具本体１０１内部の対向側壁にそれぞれランプソケット１０７を取付け、ランプソケット１０７間に蛍光灯１０８を装着している。
【０００３】
配光制御部材１０２は、回動受け部１０４に回動可能に取付けられた取付部１０９を一端部に有し、係止受け部１０５に係脱自在に係止する係止部１１０を他端部に有し、この係止部１１０を係脱操作する操作受け部１１１を有する。取付部１０９は回動受け部１０４に着脱自在であり、配光制御部材１０２の係止部１１０が外れているときは、配光制御部材１０２を水平姿勢から垂下姿勢に回動することができる。また係止部１１０は配光制御部材１０２の他端部に設けられた支持部１１２と、この支持部１１２に配光制御部材１０２の他端部の外方に向けて出没自在に設けられ係止受け部１０５の孔に嵌合する係止部材１１３と、係止部材１１３を突出付勢するバネ１１４とからなる。操作受け部１１１は係止部材１１３に垂設されてスリット１１５を形成している。また、操作受け部１１１を操作するための操作具１１６は、操作受け部１１１に係脱自在に係合する操作部１１７を上部に有し、下部に把持部１１８を有する棒状の部材である。
【０００４】
従って、操作者は、照明器具１００の下方から、操作具１１６の把持部１１８を持って先端の把持部１１７を照明器具１００の操作受け部１１１に設けられているスリット１１５に引っ掛けて、操作受け部１１１の係止部材１１３を係止受け部１０５から外すことにより、配光制御部材１０２を開けることができる。
【特許文献１】特開平１１−３０６８３７号公報（図１）
【発明の開示】
【発明が解決しようとする課題】
【０００５】
ところで、天井等の高い位置に埋め込まれて防雨性能を有する照明器具においては、前述した照明器具１００のように操作具１１６を引っ掛けて開ける構造では、防雨性能を十分に発揮することができないという問題があった。
【０００６】
本発明は、従来の問題を解決するためになされたもので、脚立等を使用することなく光源前方のパネルを取り外すことができる照明器具を提供することを目的とする。
【課題を解決するための手段】
【０００７】
本発明の照明器具は、天井板の開口から天井裏に配置される灯体と、前記開口に取り付けられる固定枠と、前記固定枠の内側において前記天井板の厚み方向に沿った線を軸線として前記固定枠に対して螺合されるパネル枠と、前記パネル枠に設けられたピン嵌合用穴とを有し、前記ピン嵌合用穴に、ランプチェンジャに設けられた位置決めピンが係合可能である構成を有している。
【０００８】
この構成により、天井板に埋め込まれている灯体の前面に取り付けられている固定枠に、螺合して取り付けられているパネル枠を取り外して、灯体内部に収容されているランプを、ランプチェンジャを用いて交換する。この際、作業者は、照明器具の下方から、ランプチェンジャに設けられている位置決めピンをパネル枠のピン嵌合用穴に係合して、パネル枠を回転させて取り外すので、脚立等を使用することなく高所に取り付けられているパネル枠を取り外すことができることとなる。また、パネル枠を取り付ける際も、同様に、照明器具の下方からランプチェンジャを用いて取り付けることができる。
【０００９】
また、本発明の照明器具は、前記ピン嵌合用穴が前記軸線に対して交差する方向に沿って設けられている構成を有している。
【００１０】
この構成により、ピン嵌合用穴が軸線に対して交差する方向に沿って設けられているので、同様に、位置決めピンが軸線に対して交差する方向に設けられているランプチェンジャを用いることにより、脚立等を使用することなく高所に取り付けられているパネル枠を取り外すことができることとなる。この場合には、照明器具の下方からピン嵌合用穴が見えないので、見栄えがよい。
【発明の効果】
【００１１】
本発明は、天井板に埋め込まれている灯体の前面の開口に取り付けられている固定枠に、天井板の厚み方向の軸線回りに螺合して取り付けられるパネル枠を設け、このパネル枠にピン嵌合用穴を設けたので、照明器具の下方から、ランプチェンジャを用いてパネル枠を取り外すことができる。このため、作業者は、脚立等を使用することなくランプ前方のパネル枠を取り外すことができるという効果を有する照明器具を提供することができるものである。
【発明を実施するための最良の形態】
【００１２】
以下、本発明の実施の形態の照明器具について、図面を用いて説明する。
図１は本発明の第１実施形態にかかる照明器具の断面図である。
【００１３】
図１に示すように、照明器具１０は、天井板１１の開口１１ａから天井裏１２に配置される灯体２０と、開口１１ａに取り付けられる固定枠２１と、この固定枠２１の内側において天井板１１の厚み方向（図１中上下方向）に沿った線を軸線ＣＬとして固定枠２１に対して螺合されるパネル枠２２と、パネル枠２２に設けられたピン嵌合用穴２２ａとを有している。そして、ピン嵌合用穴２２ａに、ランプチェンジャ３０に設けられた位置決めピン３１が係合可能となっている。
【００１４】
灯体２０は、有底の円柱形状あるいは正多角形柱状をしており、開口２０ａを下にして天井板１１に埋め込まれている。灯体２０の底面２０ｂは上に位置しており、中央部にはソケット２４が取り付けられていて、光源であるランプ２３が回転によって取り付けられるとともに、電気的に接続されるようになっている。従って、ランプ２３を交換する際には、パネル枠２２およびパネル２５を取り外し、ランプ２３を回転させて取り外す。取り付ける際は、ランプ２３を回転させて取り付け、その後パネル枠２２等を回転させて取り付ける。なお、ランプ２３としては、電球あるいは電球型の蛍光灯を用いることができる。
【００１５】
灯体２０の下端部には、灯体２０の断面形状に対応して側壁２０ｃからつば状に外側に突出するとともに、側壁２０ｃの内側に円形の切欠き２１ａを有する固定枠２１が取り付けられている。円形の切欠き２１ａは、上側に位置して半径が小さいストッパ部２１ｂと、ストッパ部２１ｂの下側に位置して半径が大きく内周面にねじ２１ｄが形成された取付部２１ｃとを有している。なお、固定枠２１は、クッション部材２１ｆを介して、天井板１１の下面に、接着材やねじ等により取り付けられている。
【００１６】
固定枠２１の切欠き２１ａにはパネル枠２２が取り付けられている。パネル枠２２は全体円板上をしており、ランプ２３の下方に位置する中央部には例えば円形の切欠き２２ｂが設けられていて、透明のパネル２５が取り付けられている。パネル枠２２の外周面にはねじ２２ｃが形成されており、固定枠２１のねじ２１ｄに螺合するようになっている。従って、パネル枠２２およびパネル２５は、パネル枠２２を回転させることにより、固定枠２１に対して着脱可能となっている。なお、パネル枠２２の下面に、複数個のピン嵌合用穴２２ａが板厚方向に形成されている。
【００１７】
ランプチェンジャ３０は、長い円形断面の棒部材３２と、この棒部材３２の先端面に取り付けられた例えば円板状の支持板３３を備えている。支持板３３の上面には、パネル枠２２下面のピン嵌合用穴２２ａの位置に対応した位置に位置決めピン３１が植設されている。位置決めピン３１の数は、ピン嵌合用穴２２ａの数だけ設けてもよいが、離れた位置（例えば対向する位置）に設けるようにすれば最低２個あれば足りる。
【００１８】
従って、ランプ２３を交換する際には、作業者は、照明器具１０の下方からランプチェンジャ３０を照明器具１０に向けて伸ばし、支持板３３の上面に設けられている位置決めピン３１をパネル枠２２のピン嵌合用穴２２ａに挿嵌する。そして、位置決めピン３１がピン嵌合用穴２２ａから脱落しないようにして、把持しているランプチェンジャ３０の棒部材３２を軸方向を中心として回転させてパネル枠２２を固定枠２１から外す。パネル枠２２が落ちないように支持板３３に載せた状態で、ランプチェンジャ３０を下ろして、パネル枠２２を取り外す。
【００１９】
以上、説明したように、本発明の第１実施形態にかかる照明装置１０では、作業者は、照明器具１０の下方から、ランプチェンジャ３０に設けられている位置決めピン３１をパネル枠２２のピン嵌合用穴２２ａに係合して、パネル枠２２を回転させて取り外すので、脚立等を使用することなく高所に取り付けられているパネル枠２２を取り外すことができることとなる。
また、前述したように、ランプ２３として電球や電球型の蛍光灯を用いることにより、ランプ２３を把持することができるランプチェンジャ（図示省略）を用いて、ランプ２３の交換を行うことができる。
【００２０】
次に、本発明の照明器具の第２実施形態について、図面を用いて説明する。
図２は本発明の第２実施形態にかかる照明器具の断面図である。なお、前述した第１実施形態と共通する部位には同じ符号を付して、重複する説明を省略することとする。
【００２１】
図２に示すように、本発明の第２実施形態にかかる照明装置１０Ｂでは、ピン嵌合用穴２２ａが軸線ＣＬに対して交差する方向（図２において左右方向）に沿って設けられている。すなわち、パネル枠２２Ｂの内周面に、ピン嵌合用穴２２ａを径方向外側に向かって形成する。また、ランプチェンジャ３０Ｂでは、パネル枠２２の切欠き２２ｂの内径よりも小さな外径の円板状の支持板３３を設け、この支持板３３の側面から径方向に位置決めピン３１を設ける。なお、位置決めピン３１は、棒部材３２の下部におけるレバー等を作業者が操作することにより、支持板３３の側面から出没制御可能に設けられている。
【００２２】
従って、ランプ２３を交換する際には、作業者は、照明器具１０Ｂの下方からランプチェンジャ３０Ｂを照明器具１０に向けて伸ばす。このとき、作業者は支持棒３２の下部に設けられている操作部（図示省略）を操作して位置決めピン３１を引っ込めておき、この状態で支持板３３をパネル枠２２の切欠き２２ｂに挿入する。次いで、操作部の操作により位置決めピン３１を突出させて、パネル枠２２のピン嵌合用穴２２ａに挿嵌する。この状態で、把持しているランプチェンジャ３０Ｂの棒部材３２を軸方向を中心として回転させてパネル枠２２を固定枠２１から外す。パネル枠２２が落ちないように支持板３３に載せた状態で、ランプチェンジャ３０を下ろして、パネル枠２２を取り外す。
【００２３】
以上、説明した第２実施形態にかかる照明装置１０Ｂでは、前述した第１実施形態にかかる照明装置１０と同様の作用・効果を得ることができる。また、パネル枠２２に設けられているピン嵌合用穴２２ｂが、下方から視認することができないので、意匠性を改善することができる。
【００２４】
なお、上述した照明装置１０Ｂでは、パネル枠２２を中心側から把持する構造としているが、このほか、パネル枠２２を外側から把持するようにすることも可能である。この場合には、パネル枠２２を固定枠２１に取り付けた際に、パネル枠２２の外周面の一部が固定枠２１から下方へ突出するようにしておき、この突出部にピン嵌合用穴２２ａを設けるようにする。そして、ランプチェンジャでは、位置決めピンが支持板の径方向内側へ突出可能に設ける。
【００２５】
なお、本発明の照明装置は、前述した各実施形態に限定されるものでなく、適宜な変形，改良等が可能である。
【産業上の利用可能性】
【００２６】
天井板に埋め込まれている灯体の前面の開口に取り付けられている固定枠に、天井板の厚み方向の軸線回りに螺合して取り付けられるパネル枠を設け、このパネル枠にピン嵌合用穴を設けたので、照明器具の下方から、ランプチェンジャを用いてパネル枠を取り外すことができる。このため、作業者は、脚立等を使用することなくランプ前方のパネル枠を取り外すことができるという効果を有し、例えば天井に取り付けられた灯体に入った光源を有する照明器具等として有用である。
【図面の簡単な説明】
【００２７】
【図１】本発明の第１実施形態における照明装置の断面図
【図２】本発明の第２実施形態における照明装置の断面
【図３】従来の天井埋め込み型の照明装置を示す断面図
【符号の説明】
【００２８】
１０  照明器具
１１  天井板
１１ａ  開口
１２  天井裏
２０  灯体
２１  固定枠
２２  パネル枠
２２ａ  ピン嵌合用穴
３０  ランプチェンジャ
３１  位置決めピン
ＣＬ  軸線
【図１】
2008235216.tif 000003
【図２】
2008235216.tif 000004
【図３】
2008235216.tif 000005